(57)【要約】      （修正有）【課題】タブレット型メディアプレーヤ／コンピュータ等の携帯電子端末装置を片手で保持可能な構造を有する携帯電子端末装置のためのキャリングケースを提供する。【解決手段】キャリングケース１は、情報表示画面及びタッチ入力画面となる所定の大きさの画面を有する携帯電子端末装置２が装着固定される装着本体部３と、該装着本体部３に対して回転自在に保持されるハンドル部４と、該ハンドル部４に固定され、該ハンドル部４との間で使用者の手又は腕を保持するアーム部５とを具備する。【選択図】図１
2011254043.tif 000002
【特許請求の範囲】
【請求項１】
情報表示画面及びタッチ入力画面となる所定の大きさの画面を有する携帯電子端末装置が装着固定される装着本体部と、
該装着本体部に対して回転自在に保持されるハンドル部と、
該ハンドル部に固定され、該ハンドル部との間で使用者の手又は腕を保持するアーム部とを具備することを特徴とするキャリングケース。
【請求項２】
前記アーム部は、両端が前記ハンドル部に固定され、使用者の手又は腕が貫通可能な空間を画成する橋架部と、該橋架部に設けられ、前記使用者の手又は腕に対して弾性的に接触する弾性部とによって構成されることを特徴とする請求項１記載のキャリングケース。
【請求項３】
前記アーム部は、前記ハンドル部に対して着脱自在な一対な固定部と、該固定部間に位置し、使用者の手又は腕を保持する弾性部材からなるベルト部とによって構成され、前記ハンドル部に対して着脱自在であることを特徴とする請求項１記載のキャリングケース。
【請求項４】
前記アーム部の一部が、該アーム部の一端に回転自在に保持されると共に、所定の角度で開脚可能なスタンド部であることを特徴する請求項１又は２記載のキャリングケース。
【請求項５】
前記ハンドル部は、前記装着本体部に対して着脱自在であることを特徴とする請求項１〜４のいずれか１つに記載のキャリングケース。
【発明の詳細な説明】
【技術分野】
【０００１】
本願発明は、情報を表示する所定の大きさの画面を有し、画面上に表示された絵に接触することによって入力を行うことができるタブレット型メディアプレーヤ／コンピュータ等の携帯電子端末機器のためのキャリングケースに関する。
【背景技術】
【０００２】
特許文献１は、携帯型の電子端末機器と情報データの通信機器とを、電気的及び機械的に結合してユニット化した携帯型情報端末装置を開示する。この携帯型情報端末装置は、端末用ケースの上面に各種情報の入力及び表示をなし得るタッチ感応型のスクリーンを設け、該端末用ケースの所定位置に入出力用インターフェースを具備して成る携帯型の電子端末機器と、本体ケース内に無線データ通信部等を装備し、前記電子端末機器と電気的に接続することにより、該電子端末機器から入力された情報データを他の電子機器に送信したり、他の電子機器から送信された情報データを受信して該電子端末機器へ出力する通信機器からなる。この携帯型情報端末装置において、本体ケースは、その上面に前記電子端末機器を載置状態で装着し得る設置部が画成され、この設置部の前縁部分には、横方向へ延在する膨出部が一端的に突出形成され、この膨出部の上面における後端隅角部には、前記載置部の方向（後方）へ略水平に突出した係着片が一体的に形成され、さらにこの係着片は、前記電子端末機器を載置部に位置決め載置した際に、端末用ケースの上面における前端隅角部の凹部と公的に整合し得るように設定され、本体ケースの前部と電子端末機器の前端部とを機械的に係着するようになっているものである。
【０００３】
特許文献２は、表面側に表示面を備える携帯型情報端末と、ＧＰＳ衛星から送信される信号を受信するアンテナユニットと、このアンテナユニットを前記携帯型情報端末に対して前記表示面の側からの投影面積を変えることなく着脱可能とする着脱機能を有する携帯型情報処理装置を開示する。この携帯型情報処理装置は、平たいボックスタイプの本体ハウジングを有しており、この表面の側に表示出力用のＬＣＤユニット（液晶表示ユニット）と、入力用のデジタライズユニット（タッチパネル）とが重ねて配置されているものである。
【０００４】
特許文献３は、上部が開放され携帯端末を着脱可能とし、且つ携帯端末を操作可能なケース本体と、このケース本体内の一端側に設置され、前記携帯端末と接続するコネクタと、このコネクタを介して前記携帯端末に電力を供給可能な二次電池と、この二次電池を充電する太陽電池と、前記二次電池内の充電量を表示する複数の表示部と、前記二次電池から前記携帯端末への電力移動を調節する開閉器とから構成され、前記太陽電池が、前記ケース本体の裏面に固着されて太陽光を受光して発電して前記二次電池を充電し、前記表示部が前記ケース本体の側端面の視認可能位置に配置され、前記二次電池内の充電量を表示して携帯端末への電力供給状況を表示し、前記携帯端末内の電力残量にしたがって前記開閉器を操作によって前記二次電池内の電力を供給することのできる携帯端末用ケースを開示する。
【先行技術文献】
【特許文献】
【０００５】
【特許文献１】特開平１０−２０７５７６号公報
【特許文献２】特開２００７−６８２１９号公報
【特許文献３】特開２０１０−１１０１９５号公報
【発明の概要】
【発明が解決しようとする課題】
【０００６】
上述したように、従来の携帯端末用のケースは、携帯端末に対していろいろな機能を付加することを目的とするもので、ケース自体が付加する機能に応じた装置を具備することから、その自重は重くなるため、携帯が不便となるという問題点があった。
【０００７】
近年、情報の表示を良好にし、さらに入力を容易にするために、ある程度の大きさを備えた携帯電子端末装置が開発され、爆発的な人気を博している。しかしながら、この携帯電子端末装置は、操作性、表示性は優れているものの所定の大きさを有するため、持ち運びが不便であり、また片手で持つには大きすぎるという不具合を有している。
【０００８】
このため、この発明は、タブレット型メディアプレーヤ／コンピュータ等の携帯電子端末装置を片手で保持可能な構造を有する携帯電子端末装置のためのキャリングケースを提供することにある。
【課題を解決するための手段】
【０００９】
したがって、この発明に係るキャリングケースは、情報表示画面及びタッチ入力画面となる所定の大きさの画面を有する携帯電子端末装置が装着固定される装着本体部と、該装着本体部に対して回転自在に保持されるハンドル部と、該ハンドル部に固定され、該ハンドル部との間で使用者の手又は腕を保持するアーム部とを具備することにある。
【００１０】
これによって、携帯電子端末装置を装着本体部に装着して固定し、ハンドル部とアーム部間に手又は腕を挿入することによって携帯電子端末装置を保持することができるものである。また、ハンドル部及びアーム部が装着本体部に対して回転自在であるため、携帯電子端末装置を縦方向にも横方向にも保持し、使用することが可能となるものである。さらに、前記ハンドル部は、所定の大きさ形成され、手によってグリップすることができる構成としても良いものである。
【００１１】
また、前記アーム部は、両端が前記ハンドル部に固定され、使用者の手又は腕が貫通可能な空間を画成する橋架部と、該橋架部に設けられ、前記使用者の手又は腕に対して弾性的に接触する弾性部とによって構成されることが望ましい。さらに、前記橋架部は前記ハンドル部と一体に形成されることが望ましい。
【００１２】
さらにまた、前記アーム部は、前記ハンドル部に対して着脱自在な一対な固定部と、該固定部間に位置し、使用者の手又は腕を保持する弾性部材からなるベルト部とによって構成され、前記ハンドル部に対して着脱自在であることが望ましい。
【００１３】
また、前記アーム部の一部が、該アーム部の一端に回転自在に保持されると共に、所定の角度で開脚可能なスタンド部であることが望ましい。
【００１４】
さらに、前記ハンドル部は、前記装着本体部に対して着脱自在であることが望ましい。これによって、ハンドル部及びアーム部が邪魔な場合でも、前記携帯電子端末装置を装着本体部から外さなくてもハンドル部を取り外すことができるものである。
【００１５】
着脱を自在とする着脱機構は、例えば、台座部と、この台座部に噛合し、前記ハンドル部に形成された回転固着部とによって構成されることが望ましい。この機構において、前記台座部は、前記装着本体部に埋め込まれた埋め込みディスクと、この埋め込みディスクから垂直に延出するシャフト部と、このシャフト部から径方向に延出する第１及び第２のディスク部と、該第１及び第２のディスク部の間に形成された噛合凹部とによって構成され、前記回転固着部は、前記噛合凹部に対して移動可能に装着される噛合凸部と、この噛合凸部を前記噛合凹部に向かって付勢するスプリングと、前記噛合凸部を前記噛合凹部から引き離すための取手部とによって構成される。
【発明の効果】
【００１６】
本願発明に係るキャリングケースによれば、ハンドル部とアーム部との間に使用者の手又は腕を保持することによって、装着本体部に固定された携帯電子端末装置を縦長又は横長に保持することが可能となるため、携帯電子端末装置を片手で安全に保持して操作することができるため、使用者が安心して使用することができるという効果を有するものである。
【図面の簡単な説明】
【００１７】
【図１】本願発明の実施例１に係るキャリングケースを示した概略構成図である。
【図２】（ａ）は携帯電子端末装置を横向きに保持した使用例を示し、（ｂ）は携帯電子端末装置を縦向きに保持した使用例を示したものである。
【図３】本願発明の実施例２に係るキャリングケースを示した概略構成図である。
【図４】本願発明に実施例２に係るキャリングケースの分解構成図である。
【図５】着脱機構を示した説明図であり、（ａ）は着脱機構の平面図、（ｂ）は、ハンドル部の断面側面図、（ｃ）は台座部の斜視図である。
【図６】スタンドさせた状態を示した説明図である。
【発明を実施するための形態】
【００１８】
図１及び図３に示すように、本願発明に係るキャリングケース１は、情報表示画面及びタッチ入力画面となる所定の大きさの画面を有する携帯電子端末装置２、いわゆるタブレット型メディアプレーヤ／コンピュータが装着固定される装着本体部３と、この装着本体部３に対して回転機構６を介して回転自在に保持されるハンドル部４と、このハンドル部４に固定され、前記ハンドル部４との間で使用者の手又は腕を保持するアーム部５とによって構成される。これによって、図２（ａ），（ｂ）で示すように、前記携帯電子端末装置２が保持された装着本体部３を横向き又は縦向きに保持することができるものである。以下、この発明の実施例ついて図面により説明する。
【実施例１】
【００１９】
図１で示す本願発明の実施例１に係るキャリングケース１は、携帯電子端末装置２を装着固定される装着本体部３を具備する。この装着本体部３は、携帯電子端末装置２の背面（表示画面２２の反対側面）２０と対応する形状の内側側面３０を有すると共に、その周縁には、前記携帯電子端末装置２の周縁部２１が嵌め込まれる周縁固定部３１が形成される。この実施例１では、周縁固定部３１は、弾力性材料によって形成されており、前記携帯電子端末装置２の周縁部２１を嵌め込むようになっているが、前記携帯電子端末装置２を前記周縁固定部３１の溝３２に沿ってスライドさせて装着するようにしても良いものである。
【００２０】
また、この実施例１では、前記装着本体部３に回転機構６を介して回転自在に取り付けられるハンドル部４とこの両端からアーチ状に延出するアーム部５とが一体に形成されて、使用者の手又は腕が挿入される挿入部７を画成する。また前記アーム部５の挿入部７側には、使用者の手又は腕に弾性的に接触して使用者の手又は腕にフィットするように弾性材料からなる弾性接触部８が設けられるものである。
【実施例２】
【００２１】
本願発明の実施例２に係るキャリングケース１は、図３及び図４に示すように、前記ハンドル部４が前記装着本体部３に対して着脱自在であり、さらに前記アーム部５が前記ハンドル部４に対して着脱自在であることを特徴とするものである。また、この実施例２では、前記ハンドル部４はそれ自体も使用者によって保持可能なように所定の厚さに形成されており、その中央部４１の側面には保持しやすいように保持凹部４４が形成されるものである。このため、前記ハンドル部４は、中央部４１と、前記アーム部５の装着部５１が装着される装着延出部４２とによって構成され、さらにこのハンドル部４を離脱させるために引っ張る取手部７３が延出する操作用溝４３が形成される。さらに、前記中央部４１には、下記する台座部６０の第１及び第２のディスク部６３，６４が挿入される装着孔４６が形成される。
【００２２】
またこの実施例２では、図４及び５で示すように、前記回転機構６は着脱機構を有している。この回転機構６は、台座部６０と、この台座部６０に噛合し、前記ハンドル部４に設けられた回転固着部７０とによって構成される。前記台座部６０は、前記装着本体部３に埋め込まれた埋め込みディスク６１と、この埋め込みディスク６１から垂直に延出するシャフト部６２と、このシャフト部６２から径方向に延出する第１及び第２のディスク部６３，６４と、該第１及び第２のディスク部６３，６４の間に形成された噛合凹部６５とによって構成される。前記回転固着部７０は、前記噛合凹部６５に対して移動可能に装着される噛合凸部７１と、この噛合凸部７１を前記噛合凹部６５に向かって付勢するスプリング７２と、前記噛合凸部７１を前記噛合凹部６５から引き離す方向に引っ張る取手部７３とによって構成される。この取手部７３は、前記ハンドル部４に形成された操作用溝部４３に延出する。
【００２３】
また、前記アーム部５は、前記ハンドル部４の装着延出部４２に設けられた装着溝４５に挿入される装着レール部５３が設けられた装着端部５１と、装着端部５１間を架橋する弾性保持部５２とによって構成され、前記ハンドル部４に対して着脱自在となるものである。
【００２４】
以上の構成により、前記取手部７３を引きながら前記ハンドル部４の中央部４１の装着孔４６に前記台座部６０を挿入し、取手部７３を離すことによって、スプリング７２の付勢力によって取手部７３に連設される噛合凸部７１が前記台座部６０の噛合凹部６５に嵌り込みため、前記ハンドル部４が前記装着本体部３に対して回転自在に装着されるものである。また、ハンドル部４を外す場合には、逆の操作を行うものである。
【００２５】
また、前記アーム部５は、前記装着５１の装着レール部５３を前記ハンドル部４の装着溝４５にスライドさせて装着することによって、前記ハンドル部４に固定されるものである。この実施例２では、前記アーム部５の弾性保持部５２は弾力性材料によって形成されているので、使用者の手又は腕にフィットして保持されるものである。また、アーム部５を外す場合には、逆の操作を行うものである。
【実施例３】
【００２６】
本願発明の実施例３に係るキャリングケース１は、上述した実施例１に係るキャリングケースにおいて、前記アーム部５の一部を、該アーム部５の一端に回転自在に保持されると共に、所定の角度で開脚可能なスタンド部９として使用したことを特徴とするものである。また、スタンド部９をアーム部５内に画成された空間の蓋部として使用し、アーム部５内の空間をイヤーホーンの収納場所として使用したり、プリペイド型電子マネー用のチップを収納したりすることにも使用することができるものである。
【符号の説明】
【００２７】
１  キャリングケース
２  携帯電子端末装置
３  装着本体部
４  ハンドル部
５  アーム部
６  回転機構
７  挿入部
８  弾性接触部
９  スタンド部
【図１】
2011254043.tif 000003
【図２】
2011254043.tif 000004
【図３】
2011254043.tif 000005
【図４】
2011254043.tif 000006
【図５】
2011254043.tif 000007
【図６】
2011254043.tif 000008
【手続補正書】
【提出日】平成23年5月13日(2011.5.13)
【手続補正１】
【補正対象書類名】図面
【補正対象項目名】図３
【補正方法】変更
【補正の内容】
【図３】
2011254043.tif 000009
【手続補正２】
【補正対象書類名】図面
【補正対象項目名】図４
【補正方法】変更
【補正の内容】
【図４】
2011254043.tif 000010